(57)【要約】【課題】回転する円材の回転力を利用した発電方法の提供を目的としたものである。【解決手段】発電設備二以上を稼働させ、該稼働させた二以上の発電設備のうち、一以上の発電設備には電力の生産および供給側を受け持たせ、残る一以上の発電設備には再度の電力生産および供給をするための準備側を受け持たせることにより、該二以上の発電設備の交互稼働により電力の生産および供給をする発電方法である。【選択図】  図２
2012253890.tif 000002
【特許請求の範囲】
【請求項１】
定位置にて回転する円盤状材一と、円盤状材回転装置一以上、および発電装置一以上よりなる発電設備二以上を稼働させ、該稼働させた二以上の発電設備のうち、一以上の発電設備には電力の生産および供給側を受け持たせ、残る一以上の発電設備には再度の電力の生産および供給をするための準備側を受け持たせることにより、該二以上の発電設備の交互稼働による電力の生産および供給を継続させることを特徴とした円盤状材の慣性回転力利用による発電方法。
【請求項２】
定位置にて回転する円盤状材は、該円盤状材を回転軸にて定位置保持したもの、または円盤状材の外面をローラーやロールベアリング類を含む任意の回転補助材にて定位置保持したもの、あるいは磁力の反発力や気体の噴出し装置類により円盤状材を浮上させた状態にて定位置保持したもの、さらには円盤状材を液体状物中に浮遊または浮上させた状態にて定位置保持したもの、またさらにはこれらの組合せ、または併用により定位置保持したものによる請求項１に記載した発電方法。
【請求項３】
定位置にて回転する円盤状材は、該円盤状材の両面部が平面状のもの、または円盤状材の両面部あるいは片面部に凹凸を有す形状のもの、さらには円盤状材の外周面部または内周面部に凹凸を有す形状のものによる請求項１、請求項２に記載した発電方法。
【請求項４】
定位置にて回転する円盤状材の回転は、該円盤状材が回転を開始した後、回転力上昇により決められた回転力（以下「慣性回転移行時回転力」という）を獲得させ、その後、円盤状材の回転を慣性回転に移行する共に慣性回転を続行させ、さらにその後、円盤状材の慣性回転力が決められた回転力（以下「回転力回復移行時回転力」という）以下に低下した時点にて、再び、円盤状材の回転力を円盤状材回転装置により上昇させて慣性回転移行時回転力の獲得をする、ということを繰返しおこなうものによる請求項１〜請求項３に記載した発電方法。
【請求項５】
円盤状材回転装置は、円盤状材の慣性回転力が回転力回復移行時回転力以下に低下した時に、慣性回転中の円盤状材の回転力を再び上昇させて慣性回転移行時回転力を獲得させるための装置で、該円盤状材の回転力が円盤状材回転装置の係合および稼働により慣性回転移行時回転力を獲得した後には、円盤状材回転装置の稼働および係合を中止しするものによる請求項１〜請求項４に記載した発電方法。
【請求項６】
発電装置は、定位置にて回転する円盤状材に発電装置を係合および稼働させ、該円盤状材の慣性回転力を利用して電力の生産および供給をするもので、該円盤状材の回転力が慣性回転移行時回転力獲得後の慣性回転移行時より、円盤状材の慣性回転力が慣性回転力低下時の回転力回復移行時回転力までの間、慣性回転する円盤状材に発電装置を係合および稼働させて電力の生産および供給をし、その後、円盤状材の慣性回転力が回転力回復移行時回転力以下に低下した時には、発電装置の稼働および係合を中止しするものによる請求項１〜請求項４に記載した発電方法。
【請求項７】
定位置にて回転する円盤状材の回転時に係わる発電装置および円盤状材回転装置は、該回転する円盤状材に面状接触、または歯車状接触類を含む接触状係合によるもの、あるいは磁力作用にての浮上状係合を含む否接触状係合による請求項１〜請求項６に記載した発電方法。
【請求項８】
定位置にて回転する円盤状材の慣性回転への移行時の慣性回転移行時回転力値、および回転力回復への移行時の回転力回復移行時回転力値は、該円盤状材の慣性回転力利用による発電装置が生産および供給する電力量値より、円盤状材の慣性回転力回復時に稼働させる円盤状材回転装置稼働用の消費電力量値が小さい値となる回転力値に設定されたものによる請求項１〜請求項７に記載した発電方法。
【請求項９】
円盤状材の慣性回転力の継続においては、該円盤状材の慣性回転力の回復状況、または継続回数、あるいは継続時間などにより、該円盤状材の慣性回転継続移行時における慣性回転移行時回転力値、または回転力回復移行時における回転力回復移行時回転力値の設定値を変更したものよる請求項１〜請求項８に記載した発電方法。
【請求項１０】
定位置にて回転する円盤状材の、最初に獲得する慣性回転移行時回転力は、外力により円盤状材の回転を開始した上で回転力を上昇させて慣性回転移行時回転力を獲得したものによる請求項１〜請求項９に記載した発電方法。
【請求項１１】
稼働を開始した二以上の発電設備のうち、再度、電力の生産および供給をするための準備側を受持つことになる、一以上の発電設備の円盤状材の回転力回復時に稼働させる円盤状材回転装置稼働用電力は、該二以上の発電設備のうち、電力の生産および供給側となる、現在稼働中の、一以上の発電装置が生産および供給する電力を使用するものによる請求項１〜請求項１０に記載した発電方法。
【請求項１２】
二以上の発電設備における発電装置の交互稼働による電力の生産および供給の継続は、該二以上の発電設備のそれぞれが、順次、稼働を開始した以降において電力の生産および供給を継続するもので、該二以上の発電設備のうち、一方側の一以上の発電設備においては、慣性回転中の円盤状材に発電装置が係合および稼働して電力の生産および供給をしている、それに対し、もう一方側の一以上の発電設備においては、現在稼働中の、一以上の発電装置が生産および供給している電力の一部を使用して円盤状材回転装置を稼働させ、慣性回転力の低下した円盤状材の回転力を慣性回転移行時回転力まで上昇させて、再度、円盤状材を慣性回転に移行させる、ということを交互に繰返すことにより、該二以上の発電設備の交互稼働による電力の生産および供給の継続をするものによる請求項１〜請求項１１に記載した発電方法。
【請求項１３】
二以上の発電設備の円盤状材が回転することにより発生する音や風や熱や振動や波動や流動類を、二以上の発電設備内の発電装置とは異なる風力利用による発電、または風力利用によるゴミ類の分別などを含む発電以外の用途に利用することも可としたものによる請求項１〜請求項１２に記載した発電方法。
【発明の詳細な説明】
【技術分野】
【０００１】
本発明は、回転力を得た円盤状材の慣性回転力利用による、電力の生産および供給に関するものである。
【背景技術】
【０００２】
現在、電力を得るために用いられている発電方法は、大量に燃料を必要とする化石燃料発電方法と共に、安全性に注意を払っているとはいえ、危険性が伴う原子力利用の発電方法が主流であり、自然力を利用した水力発電が主力の座より降りたことにくわえ、風力発電、太陽光および太陽熱発電、地熱発電等による発電方法もまだ大きな比重を占めるまでには至っていない状況である。
また、自然力を利用したものとして磁力を利用した装置（特許文献１）や、遠心力を用いて振子重りで発電するもの（特許文献２）、また、大小の回転円盤を一つの装置に組込んで遠心力利用で発電するもの（特許文献３）も提案されている。
【先行技術文献】
【特許文献】
【０００３】
【特許文献１】特開２０１１−０５５６００公報
【特許文献２】特開２００８−０９９５３７公報
【特許文献３】特開２００７−０８２３８６公報
【発明の概要】
【発明が解決しようとする課題】
【０００４】
そこで本発明は、自然力を利用して発電する方法のひとつとして、外力を得て回転を始めた円盤状材の回転が外力を失っても、円盤状材の回転しようとする慣性により一定期間回転を続行する慣性回転力を利用して、発電装置類を稼働させ電力の生産および供給をすることができる発電方法の提供を目的としたものである。
【課題を解決するための手段】
【０００５】
定位置にて回転する円盤状材、または輪状材、あるいは車輪状材類（以下「円盤状材」という）一と、該円盤状材に係合して円盤状材を回転させると共に、回転力を上昇させることができる装置（以下「円盤状材回転装置」という）一以上、および回転する円盤状材に係合して、回転する円盤状材の回転力を利用して電力を生産および供給することができる装置（以下「発電装置」という）一以上よりなる発電設備（以下「発電設備」という）二以上を稼働させ、該稼働させた二以上の発電設備のうち、一以上の発電設備には電力の生産および供給側を受け持たせ、残る一以上の発電設備は電力の生産および供給を中止する共に、再度の、電力の生産および供給をするための準備側を受け持たせることにより、該二以上の発電設備の交互稼働による電力の生産および供給を継続させることを特徴とした、円盤状材の慣性回転力利用による発電方法である。
【０００６】
発電設備内の定位置にて回転する円盤状材は、該円盤状材を回転軸にて定位置保持したもの、または円盤状材の外面（外周面および内周面を含む任意の外面）をローラーやロールベアリングやボールベアリング類を含む任意の回転補助材にて定位置保持したもの、あるいは磁力の反発力や気体の噴出し装置類により円盤状材を浮上させた状態にて定位置保持したもの、さらには円盤状材を液体状物中に浮遊または浮上させた状態にて定位置保持したもの、またさらにはこれらの組合せ、または併用により定位置保持したものである。
円盤状材の回転を定位置保持する形態は、横状保持、または縦状保持、あるいは斜め状保持を含む任意の形態で定位置保持するものである。
【０００７】
円盤状材の回転を定位置保持するために使用されるローラーやロールベアリング類を含む任意の回転補助材は、円盤状材の回転を定位置保持するための回転補助材として使用すると共に、該回転補助材の全部または一部を、発電装置あるいは発電装置の一部として利用する、または発電装置の稼働用動力として利用してもよい。
【０００８】
定位置にて回転する円盤状材は、該円盤状材の両面部が平面状のもの、または円盤状材の両面部あるいは片面部に凹凸を有す形状のもの、さらには円盤状材の外周面部または内周面部に凹凸を有す形状のものである。
なを、円盤状材の両面部または片面部、あるいは外周面部または内周面部に形成される凹凸状形は、該円盤状材の回転時に係合することになる、円盤状材回転装置または発電装置の係合に障害とならない形状（円心を中心とした円形状に沿った形状の凹凸状形）のものとする。
【０００９】
定位置にて回転する円盤状材の回転は、該円盤状材が回転を開始した後、回転力上昇により決められた回転力（以下「慣性回転移行時回転力」という）を獲得させ、その後、円盤状材の回転を慣性回転に移行する共に慣性回転を続行させ、さらにその後、円盤状材の慣性回転力が決められた回転力（以下「回転力回復移行時回転力」という）以下に低下した時点にて、再び、円盤状材の回転力を円盤状材回転装置により上昇させて慣性回転移行時回転力の獲得をする、ということを繰返しおこなうものである。
【００１０】
円盤状材回転装置は、円盤状材の慣性回転力が回転力回復移行時回転力以下に低下した時に、慣性回転中の円盤状材の回転力を再び上昇させて慣性回転移行時回転力を獲得させるための装置で、該円盤状材の回転力が円盤状材回転装置の係合および稼働により慣性回転移行時回転力を獲得した後には、円盤状材回転装置の稼働および係合を中止しするものである。
また、円盤状材回転装置は、発電設備の、最初の稼働時における円盤状材の回転開始より回転力上昇時に、外力により稼働させて使用してもよい。
【００１１】
発電装置は、定位置にて回転する円盤状材に発電装置を係合および稼働させ、該円盤状材の慣性回転力を利用して電力の生産および供給をするもので、該円盤状材の回転力が慣性回転移行時回転力獲得後の慣性回転移行時より、円盤状材の慣性回転力が慣性回転力低下時の回転力回復移行時回転力までの間、慣性回転する円盤状材に発電装置を係合および稼働させて電力の生産および供給をし、その後、円盤状材の慣性回転力が回転力回復移行時回転力以下に低下した時には、発電装置の稼働および係合を中止するものである。
【００１２】
定位置にて回転する円盤状材の回転時に係わる発電装置および円盤状材回転装置は、該回転する円盤状材に面状接触、または歯車状接触類を含む接触状係合によるもの、あるいは磁力作用にての浮上状係合を含む否接触状係合によるものである。
【００１３】
また、定位置にて回転する円盤状材の回転時に係合させる発電装置、および円盤状材回転装置は、該円盤状材中心部より外方向（外周部を含む）には電力の生産および供給をする発電装置が係合し、対する、円盤状材中心部に近い内方向（内周部を含む）には回転力回復時の円盤状材回転装置が係合する形態となれば、それぞれの効果も大となるものである。
【００１４】
定位置にて回転する円盤状材の回転力が上昇した後の、慣性回転への移行時の慣性回転移行時回転力値、および慣性回転中の円盤状材の回転力が低下した後の、回転力回復への移行時の回転力回復移行時回転力値は、該円盤状材の慣性回転力利用による発電装置が生産および供給する電力量値より、円盤状材の慣性回転力回復時に稼働させる円盤状材回転装置稼働用の消費電力量値が小さい値となる回転力値に設定されたものである。
【００１５】
円盤状材の慣性回転力の継続においては、該円盤状材の慣性回転力の回復状況、または継続回数、あるいは継続時間などにより、該円盤状材の慣性回転継続移行時における慣性回転移行時回転力値、または回転力回復移行時における回転力回復移行時回転力値の設定値を変更したものでもよい。
円盤状材の慣性回転力回復時に稼働させる円盤状材回転装置稼働用の消費電力量は、円盤状材の回転力が低下したとはいえ、慣性回転続行中での回転力回復および上昇に係わる電力量となるため、もう一方側の発電装置で生産および供給する電力量より少ない値となるように、慣性回転移行時回転力値、および回転力回復移行時回転力値を設定することができるものである。
【００１６】
円盤状材の慣性回転力利用においては、該円盤状材の直径および重量が大であり、また回転速度も大であれば、生み出される円盤状材の回転力も大になるため、該大の円盤状材に回転を与え、回転力を上昇させて、一度、大きな回転力を得た円盤状材は、与えられていた力が中断されても慣性回転する力が大となると共に、長時間にわたり慣性回転が続行されることになる。
これにより、大きな回転力を得た円盤状材の慣性回転力が大きく低下しないうちに円盤状材の回転力の上昇、および回復を図れば、該円盤状材の回転力の上昇、および回復も容易であると共に、それに用いる力も小さい力で済むことになる。
【００１７】
そこで本発明においては、二以上の大きな円盤状材が慣性回転中で、その一方側の円盤状材の慣性回転力が低下したときでも、残るもう一方側の円盤状材が大きな慣性回転力を保有しているときには、該大きな慣性回転力を保有しているもう一方側の円盤状材の慣性回転力を、低下した円盤状材の回転力上昇のために用いて円盤状材の回転力回復を図ることにしたものである。
すなわち、二以上の円盤状材の回転は、該円盤状材の大小や重量、または形状や回転速度などにより回転力が決定されることになるため、該二以上の円盤状材の回転により得られる回転力の利用状況により、必要とされる回転力値も決定されることになる。
そこで、慣性回転中の、円盤状材の慣性回転力利用時における発電装置での電力の生産および供給量、ならびに慣性回転力低下時に稼働させる円盤状材回転装置に使用する電力量を検討および調整した上で、円盤状材の慣性回転移行時回転力値、および慣性回転力低下後の回転力回復移行時回転力値を決定し、二以上よりなる円盤状材の慣性回転力の交互利用による電力の生産および供給の継続をさせることにしたものである。
【００１８】
定位置にて回転する円盤状材の、最初に獲得する慣性回転移行時回転力は、外力（本発明になる、二以上の発電設備により生産および供給される電力以外の電力、または発動機を含む円盤状材回転装置類により円盤状材を回転させる力、以下「外力」という）により円盤状材の回転を開始した上で回転力を上昇させて慣性回転移行時回転力を獲得したものである。
【００１９】
稼働を開始した二以上の発電設備のうち、再度、電力の生産および供給をするための準備側を受持つことになる、一以上の発電設備の円盤状材（慣性回転続行中の円盤状材）の回転力回復時に稼働させる円盤状材回転装置稼働用電力は、該二以上の発電設備のうち、電力の生産および供給側となる、現在稼働中の、一以上の発電装置が生産および供給する電力を使用するものである。
【００２０】
二以上の発電設備における発電装置の交互稼働による電力の生産および供給の継続は、該二以上の発電設備のそれぞれが、順次、稼働を開始した以降において電力の生産および供給を継続するもので、該二以上の発電設備のうち、一方側の一以上の発電設備においては、慣性回転中の円盤状材に発電装置が係合および稼働して電力の生産および供給をしている、それに対し、もう一方側の一以上の発電設備においては、現在稼働中の、一以上の発電装置が生産および供給している電力の一部を使用して円盤状材回転装置を稼働させ、慣性回転力の低下した円盤状材の回転力を慣性回転移行時回転力まで上昇させて、再度、円盤状材を慣性回転に移行させる、ということを交互に繰返すことにより、該二以上の発電設備の交互稼働による電力の生産および供給の継続をするものである。
すなわち、二以上の発電設備の各一以上の発電装置を交互稼動させるために、該二以上の発電設備の各円盤状材の回転をずらして開始することにより、各円盤状材の回転開始より回転力上昇、および慣性回転移行時回転力の獲得、さらには慣性回転への移行時もずれることになる。
これにより、二以上の発電設備の各一以上の発電装置稼動による電力の生産および供給時も異なることになるために、それぞれの、生産および供給する電力を、それぞれの、円盤状材の慣性回転力回復時に稼働させる円盤状材回転装置稼働用電力として使用できるようにすることにより、該二以上の発電設備の交互稼働による電力の生産および供給も継続されることになる。
このとき、二以上の発電設備の各円盤状材の、最初の回転開始より慣性回転移行時回転力の獲得までは、外力を使用して円盤状材を回転させるものである。
【００２１】
二以上の発電設備における交互稼働による電力の生産および供給の継続においては、慣性回転力が低下した円盤状材の慣性回転移行時回転力値を順次下げて、円盤状材回転装置稼働用の電力量を順次小さいものとしながら、円盤状材の慣性回転を継続させると共に、該円盤状材の慣性回転力が任意の回転力以下まで低下したときには、外力により再び円盤状材の慣性回転移行時回転力を獲得させる、ということを繰返して、二以上の発電設備における交互稼働による電力の生産および供給の継続を図るものでもよい。
また、二以上の発電設備における交互稼働による電力の生産および供給の継続においては、円盤状材の慣性回転力の大小、または慣性回転力の続行時間、あるいは慣性回転への回復回数などにより、該円盤状材の慣性回転時に係合および稼働させる一以上の発電装置の数、または円盤状材回転装置の数を増減させる、あるいは二以上の発電設備における交互稼働による電力の生産および供給量、または電力の生産および供給に係わる継続時間、あるいは電力の生産および供給回数を調整することにより、該二以上の発電設備における交互稼働による電力の生産および供給の継続をしてもよい。
【００２２】
二以上の発電設備の稼働にともない発生する音や風や熱や振動や波動や流動類による人や環境への影響には、当然、考慮して対処するべきではあるが、それと共に、該二以上の発電設備の円盤状材が回転することにより発生する音や風や熱や振動や波動や流動類を、二以上の発電設備内の発電装置とは異なる風力利用による発電、または風力利用によるゴミ類の分別などを含む発電以外の用途に利用することにより、本来の目的である電力の生産および供給に加えた、円盤状材を回転させることによる併行利用も可としたものである。
【００２３】
円盤状材の回転にともない発生する音や風や熱や振動や波動や流動類を併行利用することになれば、該円盤状材の回転は、二以上の発電設備が稼働を開始した後は、円盤状材の慣性回転力に大小が生じるとはいえ、常時回転状態にあるために、該円盤状材の回転にともない発生する音や風や熱や振動や波動や流動類の併行利用は、中止あるいは中断することなく利用できるものとなる。
【００２４】
本発明になる発電方法は、定位置にて回転する円盤状材一と、円盤状材回転装置一以上、および発電装置一以上よりなる発電設備二以上よりなるもので、該二以上よりなる発電設備の円盤状材を、外力により、順次、回転を開始させると共に回転力を上昇させて慣性回転移行時回転力を獲得させ、その後は与えていた外力を切離し、円盤状材自身による慣性回転へ移行させるものである。
慣性回転に移行した円盤状材には、発電装置一以上を係合および稼働させることにより、電力の生産および供給を開始すると共に、該円盤状材の慣性回転力が回転力回復移行時回転力以下に低下するまで、電力の生産および供給を続行させるものである。
慣性回転続行中の円盤状材の慣性回転力が、回転力回復移行時回転力以下に低下したときには、発電装置一以上の係合および稼働を中止すると共に、慣性回転力が低下した円盤状材には、円盤状材回転装置一以上を係合および稼動させて円盤状材の回転力を上昇させ、再び、慣性回転移行時回転力を獲得させるものである。
慣性回転力の低下した円盤状材の回転力を回復および上昇させるために稼働させる円盤状材回転装置一以上に使用する電力は、二以上よりなる発電設備のうち、後から稼働させた発電設備の発電装置一以上の生産および供給する電力の一部を使用するものである。
このようにして、一度、外力により慣性回転に移行した円盤状材の回転力低下時における回転力の回復には、二以上よりなる発電設備の交互稼働により生産および供給される電力の一部を使用して低下した慣性回転力を回復させる、ということを、二以上よりなる発電設備において交互に繰返し行うことにより、該二以上よりなる発電設備の交互稼働による電力の生産および供給の継続ができることになるものである。
【発明の効果】
【００２５】
本発明になる発電方法は、二以上よりなる発電設備の円盤状材に回転力を与えて回転力を上昇させ、その後、慣性回転に移行させた円盤状材の慣性回転力を利用した発電方法であり、該二以上よりなる発電設備の円盤状材の回転開始時より、最初の慣性回転移行時までに外力を使用する以外は、二以上よりなる発電設備内で生産および供給する電力で、二以上よりなる発電設備内の発電装置の交互稼働が可能となるため、その後の電力の生産および供給は、慣性回転力利用、という自然力利用による電力の生産および供給ができる共に、電力の生産および供給も継続できるという効果がある。
また、慣性回転力利用、という自然力利用による電力の生産および供給は、従来の風力発電、太陽光および太陽熱発電、地熱発電等による自然力利用による発電方法と異なり、気象状況や自然環境の影響には左右されることのない発電方法である、という効果もある。
【００２６】
発電設備の稼働にともない発生する音や風や熱や振動や波動や流動類による人や環境への影響には、当然、考慮し、対処するべきではあるが、それと共に、発電設備の円盤状材が回転することにより発生する音や風や熱や振動や波動や流動類を、発電設備内の発電装置とは異なる風力利用による発電、または風力利用によるゴミ類の分別などを含む発電以外の用途に利用することにより、本来の目的である電力の生産および供給に加えた、円盤状材の回転力の併行利用による多用途利用という効果も得られるものである。
円盤状材の回転にともなう回転力の併行利用は、円盤状材の回転が慣性回転移行後においては、回転力に大小が生じるとはいえ、常時回転状態にあるために、円盤状材の回転にともない発生する音や風や熱や振動や波動や流動類の併行利用も、中止あるいは中断することなく利用できるという更なる効果もある。
【図面の簡単な説明】
【００２７】
【図１】二の発電設備の平面図
【図２】二の発電設備の(ア)―(ア)断面図―１（発電装置(Ａ)稼働中）
【図３】二の発電設備の(ア)―(ア)断面図―２（発電装置(Ａ)稼働中止）
【図４】二の発電設備の運用流れ図
【発明を実施するための形態】
【００２８】
本発明を実施するための形態は、定位置にて回転する円盤状材一と、円盤状材回転装置一以上、および発電装置一以上よりなる発電設備二以上を稼働させ、該稼働させた二以上の発電設備のうち、一以上の発電設備には電力の生産および供給側を受け持たせ、残る一以上の発電設備には再度の電力生産および供給をするための準備側を受け持たせることにより、該二以上の発電設備の交互稼働により電力の生産および供給を継続させるものである。
【実施例１】
【００２９】
本発明を実施するための実施例を、図１二の発電設備の平面図、図２二の発電設備の(ア)―(ア)断面図―１（発電装置(Ａ)稼働中）、図３二の発電設備の(ア)―(ア)断面図―２（発電装置(Ａ)稼働中止）、図４二の発電設備の運用流れ図に基づき説明する。
本発明は、定位置にて回転する円盤状材(Ａ)１(ａ)一と、円盤状材回転装置(Ａ)３(ａ)四および発電装置(Ａ)２(ａ)四よりなる発電設備(Ａ)、ならびに、定位置にて回転する円盤状材(Ｂ)１(ｂ)一と、円盤状材回転装置(Ｂ)３(ｂ)四および発電装置(Ｂ)２(ｂ)四よりなる発電設備(Ｂ)との、二組の発電設備により構成された電力の生産および供給設備である。
以下、発電設備(Ａ)および発電設備(Ｂ)の概要と、発電設備(Ａ)および発電設備(Ｂ)の運用について説明する。
発電設備(Ａ)および発電設備(Ｂ)の、定位置にて回転する円盤状材(Ａ)１(ａ)および円盤状材(Ｂ)１(ｂ)は、凹凸のある輪状の円盤状材(Ａ)１(ａ)および円盤状材(Ｂ)１(ｂ)を、回転補助材となる任意数のローラー５上で水平に回転するように、軸部(Ａ)４(ａ)および軸部(Ｂ)４(ｂ)にはめ込んだ形態で保持したものである。
また、電力を生産および供給する発電装置(Ａ)２(ａ)四、ならびに発電装置(Ｂ)２(ｂ)四は、輪状の円盤状材(Ａ)１(ａ)および円盤状材(Ｂ)１(ｂ)の各外周部に係合および稼働させる、または係合および稼働を中止するように設置したものである。
円盤状材(Ａ)１(ａ)および円盤状材(Ｂ)１(ｂ)に回転力を与える円盤状材回転装置(Ａ)３(ａ)四および円盤状材回転装置(Ｂ)３(ｂ)四は、輪状の円盤状材(Ａ)１(ａ)および円盤状材(Ｂ)１(ｂ)の各内周部に係合および稼働させる、または係合および稼働を中止するように設置したものである。
なを、発電設備(Ａ)および発電設備(Ｂ)の、円盤状材(Ａ)１(ａ)および円盤状材(Ｂ)１(ｂ)を定位置にて回転させるための回転補助材となる任意数のローラー５を、本来の目的である、円盤状材(Ａ)１(ａ)および円盤状材(Ｂ)１(ｂ)を定位置にて回転させるための回転補助材として使用すると共に、上記した、発電装置(Ａ)２(ａ)四ならびに発電装置(Ｂ)２(ｂ)四以外の、発電装置の一部として利用する、または発電装置の稼働用動力として利用してもよい。
【００３０】
二組の発電設備(Ａ)および発電設備(Ｂ)により構成された電力の生産および供給設備である発電設備(Ａ)および発電設備(Ｂ)の運用は、最初に一方側の発電設備(Ａ)の定位置にて回転する円盤状材(Ａ)１(ａ)を外力により回転を開始させ、その後、回転力を上昇させて決められた回転力（以下「慣性回転移行時回転力」という）を獲得させるものである。
円盤状材(Ａ)１(ａ)が慣性回転移行時回転力を獲得した後は外力を切離し、円盤状材(Ａ)１(ａ)自身による慣性回転に移行させた上で慣性回転を続行させるものである。
それと共に、慣性回転に移行した円盤状材(Ａ)１(ａ)の外周部の四ヶ所に、発電装置(Ａ)２(ａ)四を係合させて円盤状材(Ａ)１(ａ)の回転力を利用して、発電装置(Ａ)２(ａ)四を稼働させて電力の生産および供給を開始し、その後、電力の生産および供給を続行するものである。
また、もう一方側の発電設備(Ｂ)は、慣性回転に移行した発電設備(Ａ)の円盤状材(Ａ)１(ａ)の回転力が、決められた回転力（以下「回転力回復移行時回転力」という）以下に低下し、回転力回復のための円盤状材回転装置(Ａ)３(ａ)の係合および稼働時までの間に、発電設備(Ｂ)の定位置にて回転する円盤状材(Ｂ)１(ｂ)を、外力により回転を開始させ、回転力を上昇させるものである。
図４の二の発電設備の運用流れ図では、最初に発電設備(Ａ)の円盤状材(Ａ)１(ａ)の、（1）回転始動（外力供給）、回転力上昇（外力供給中）、（2）回転力獲得（外力供給中止）、（3）慣性回転に移行（発電装置(Ａ)２(ａ)係合、電力の生産・供給開始）、慣性回転続行中（電力の生産・供給続行中）となる。次に順を追って発電設備(Ｂ)の円盤状材(Ｂ)１(ｂ)の（1）(Ｂ)回転始動（外力供給）となる。
慣性回転移行後の円盤状材(Ａ)１(ａ)には、慣性回転力が低下し、回転力回復移行時回転力になるまで慣性回転を続行させると共に、電力の生産および供給も続行させ、円盤状材(Ａ)１(ａ)の慣性回転力が回転力回復移行時回転力以下に低下した時点で、円盤状材(Ａ)１(ａ)との係合および稼働を中止して発電装置(Ａ)２(ａ)四の全てを円盤状材(Ａ)１(ａ)より切離し、電力の生産および供給も中止するものである。
慣性回転力が回転力回復移行時回転力以下に低下した円盤状材(Ａ)１(ａ)には、円盤状材(Ａ)１(ａ)輪状内周部の四ヶ所に、円盤状材回転装置(Ａ)３(ａ)を係合および稼働させて回転力の上昇を図り、再び、慣性回転移行時回転力を獲得させるものである。
このとき、円盤状材(Ａ)１(ａ)輪状内周部の四ヶ所に係合および稼働させて、回転力の上昇を図ることになる円盤状材回転装置(Ａ)３(ａ)四の稼働用電力は、発電設備(Ｂ)の生産および供給する電力によるものである。
すなわち、発電設備(Ａ)の、円盤状材(Ａ)１(ａ)の回転力回復時の円盤状材回転装置(Ａ)３(ａ)稼働用電力は、発電設備(Ａ)の、円盤状材(Ａ)１(ａ)の慣性回転力が回転力回復移行時回転力以下に低下するまでの間に、後より稼働させた発電設備(Ｂ)の、円盤状材(Ｂ)１(ｂ)の回転力が慣性回転移行時回転力を獲得し、それにより、円盤状材(Ｂ)１(ｂ)に係合され、稼働を開始した発電装置(Ｂ)２(ｂ)四により生産および供給された電力の一部を、慣性回転力の低下した円盤状材(Ａ)１(ａ)の回転力回復用の円盤状材回転装置(Ａ)３(ａ)四稼働用電力として使用するものである。
図４の二の発電設備の運用流れ図では、発電設備(Ａ)の円盤状材(Ａ)１(ａ)においては、慣性回転続行中（電力の生産・供給続行中）、（4）慣性回転力低下（発電装置(Ａ)２(ａ)係合中止、電力の生産・供給中止）、（5）回転力回復上昇開始（円盤状材回転装置(Ａ)３(ａ)係合、稼働開始、発電装置(Ｂ)２(ｂ)の生産・供給する電力による）、（6）回転力獲得（円盤状材回転装置(Ａ)３(ａ)係合中止、発電装置(Ｂ)２(ｂ)の電力供給中止）となる。
また発電設備(Ｂ)においては、回転力上昇（外力供給中）、（2）(Ｂ)回転力獲得（外力供給中止）、（3）(Ｂ)慣性回転に移行（発電装置(Ｂ)２(ｂ)係合、電力の生産・供給開始）となる。
発電設備(Ａ)の、円盤状材(Ａ)１(ａ)の慣性回転力が慣性回転移行時回転力を獲得した後には、再び、発電装置(Ａ)２(ａ)を係合および稼働させて、電力の生産および供給を再開し、円盤状材(Ａ)１(ａ)の慣性回転力が、再び、回転力回復移行時回転力以下に低下するまで慣性回転を続行し、その後、低下した円盤状材(Ａ)１(ａ)には、再度、円盤状材回転装置(Ａ)３(ａ)により慣性回転移行時回転力を獲得させる、ということを繰返すものである。
このとき、発電設備(Ｂ)においては、慣性回転力が低下した円盤状材(Ｂ)１(ｂ)に係合および稼働して電力の生産および供給をしていた、発電装置(Ｂ)２(ｂ)四の稼働および係合を中止すると共に、円盤状材(Ｂ)１(ｂ)輪状内周部の四ヶ所に円盤状材回転装置(Ｂ)３(ｂ)を係合し、発電装置(Ａ)２(ａ)の生産および供給する電力の一部を使用して、円盤状材回転装置(Ｂ)３(ｂ)を稼働させ、円盤状材(Ｂ)１(ｂ)の回転力の上昇を図り、再び、慣性回転移行時回転力を獲得させる、ということを繰返すものである。（H23.5/12、5/23訂正）
このようにして、二の発電設備による電力の生産および供給、ならびに慣性回転力の回復および上昇を繰返すことにより、該二の発電設備による電力の生産および供給の継続ができることになる。
また、円盤状材(Ａ)１(ａ)および円盤状材(Ｂ)１(ｂ)の慣性回転力の回復および上昇の繰返し時においては、二の発電設備により生産および供給される電力のみではなく、外力を使用して、円盤状材(Ａ)１(ａ)および円盤状材(Ｂ)１(ｂ)の慣性回転力を大幅に回復および上昇させてもよい。
図４の二の発電設備の運用流れ図では、発電設備(Ａ)の円盤状材(Ａ)１(ａ)が、（6）回転力獲得（円盤状材回転装置(Ａ)３(ａ)係合中止、発電装置(Ｂ)２(ｂ)の電力供給中止）、（7）慣性回転に移行（発電装置(Ａ)２(ａ)係合、電力の生産・供給再開）、慣性回転続行中（電力の生産・供給続行中）、（8）慣性回転力低下（発電装置(Ａ)２(ａ)係合中止、電力の生産・供給中止）、（9）回転力回復上昇再開（円盤状材回転装置(Ａ)３(ａ)係合、稼働開始、発電装置(Ｂ) ２(ｂ)の生産・供給する電力による）となり、以降、繰返し続行することになる。
また、発電設備(Ｂ)の円盤状材(Ｂ)１(ｂ)では、（4）(Ｂ)慣性回転力低下（発電装置(Ｂ)２(ｂ)係合中止、電力の生産・供給中止）、（5）(Ｂ)回転力回復上昇開始（円盤状材回転装置(Ｂ)３(ｂ)係合、稼働開始、発電装置(Ａ)１(ａ)の生産・供給する電力による）、回転力上昇（円盤状材回転装置(Ｂ)３(ｂ)稼働中、発電装置(Ａ)２(ａ)の生産・供給する電力による）、（6）(Ｂ)回転力獲得（円盤状材回転装置(Ｂ)３(ｂ)係合中止、発電装置(Ａ)２(ａ)の電力供給中止）となり、以降、繰返し続行することになる。
【００３１】
円盤状材(Ａ)１(ａ)および円盤状材(Ｂ)１(ｂ)が回転を開始し、回転力が上昇した後の、慣性回転への移行時の慣性回転移行時回転力値、および慣性回転力が低下した後の、慣性回転力回復への回転力回復移行時回転力値は、該円盤状材(Ａ)１(ａ)および円盤状材(Ｂ)１(ｂ)の慣性回転力の利用状況により、発電装置(Ａ)２(ａ)および発電装置(Ｂ)２(ｂ)が生産および供給する電力量値より、円盤状材(Ａ)１(ａ)および円盤状材(Ｂ)１(ｂ)の、慣性回転力回復時に稼働させる円盤状材回転装置(Ａ)３(ａ)および円盤状材回転装置(Ｂ)３(ｂ)の、稼働用の消費電力量値が小さい値となる回転力値に設定したものである。
慣性回転移行時回転力値、および回転力回復移行時回転力値の設定においては、円盤状材(Ａ)１(ａ)および円盤状材(Ｂ)１(ｂ)の大小、重量、形状、回転速度等により回転力が決定されることになるため、該円盤状材(Ａ)１(ａ)および円盤状材(Ｂ)１(ｂ)の慣性回転力の利用条件、すなわち、電力の生産および供給量、または慣性回転の継続期間、あるいは慣性回転の継続回数等により、それぞれの回転力値が決定されることになるものである。
【００３２】
図１は、二の発電設備(Ａ)および備発電設(Ｂ)の平面図で、発電設備(Ａ)の発電装置(Ａ)２(ａ)が、円盤状材(Ａ)１(ａ)外周部の四ヶ所に係合し、稼働している状態、すなわち四ヶ所の発電装置(Ａ)２(ａ)の稼働により、電力が生産および供給されている状態を示したものである。
このとき、発電設備(Ａ)の四ヶ所の円盤状材回転装置(Ａ)３(ａ)は、輪状の円盤状材(Ａ)１(ａ)内周部より切離され、稼働中止の状態となっているものである。
これに対し、発電設備(Ｂ)の発電装置(Ｂ)２(ｂ)は、円盤状材(Ｂ)１(ｂ)外周部の四ヶ所より切離され、稼働中止の状態、すなわち、四ヶ所の発電装置(Ｂ)２(ｂ)の稼働による電力は、生産および供給が中止されている状態であると共に、発電設備(Ｂ)の四ヶ所の円盤状材回転装置(Ｂ)３(ｂ)は、輪状の円盤状材(Ｂ)１(ｂ)内周部に係合し、稼働している状態である。
すなわち、稼働している発電設備(Ａ)の、発電装置(Ａ)２(ａ)の生産および供給する電力の一部を使用して、慣性回転力の低下した円盤状材(Ｂ)１(ｂ)の回転力回復、および上昇を図る状態となっていることを示したものである。
また、図２の、二の発電設備(Ａ)および備発電設(Ｂ)の断面図（発電装置(Ａ)稼働中）も、図１の平面図と同様の状態を示したものである。
図３は、図１および図２とは逆の状態を示したもので、二の発電設備(Ａ)においては、円盤状材(Ａ)１(ａ)の外周部四ヶ所の発電装置(Ａ)２(ａ)は、円盤状材(Ａ)１(ａ)の外周部より切離され、稼働中止の状態、すなわち、四ヶ所の発電装置(Ａ)２(ａ)の稼働による電力は、生産および供給が中止されている状態であると共に、発電設備(Ａ)の四ヶ所の円盤状材回転装置(Ａ)３(ａ)は、輪状の円盤状材(Ａ)１(ａ)内周部に係合および稼働している状態で、慣性回転力の低下した円盤状材(Ａ)１(ａ)の回転力回復、および上昇を図る状態となっていることを示し、対する、発電設備(Ｂ)の発電装置(Ｂ)２(ｂ)は、円盤状材(Ｂ)１(ｂ)外周部の四ヶ所に係合および稼働している状態、すなわち、四ヶ所の発電装置(Ｂ)２(ｂ)の稼働により、電力が生産および供給され、その一部の電力が、発電設備(Ａ)の円盤状材回転装置(Ａ)３(ａ)稼働用電力として使用されている状態を示したものである。
このとき、発電設備(Ｂ)の四ヶ所の円盤状材回転装置(Ｂ)３(ｂ)は、輪状の円盤状材(Ｂ)１(ｂ)内周部より切離され、稼働中止の状態となっているものである。
【００３３】
このようにして、二組の発電設備(Ａ)の円盤状材(Ａ)１(ａ)および発電設備(Ｂ)の円盤状材(Ｂ)１(ｂ)を、外力により、順次、回転を開始し、回転力を上昇させ、慣性回転移行時回転力を獲得させると共に慣性回転に移行させ、発電装置(Ａ)２(ａ)および発電装置(Ｂ)２(ｂ)を稼働させ、電力の生産および供給を開始することにより、その後の円盤状材(Ａ)１(ａ)および円盤状材(Ｂ)１(ｂ)の回転力低下時には、回転力低下後の円盤状材(Ａ)１(ａ)および円盤状材(Ｂ)１(ｂ)の回転力回復用に稼働させる円盤状材回転装置(Ａ)および円盤状材回転装置(Ｂ)３(ｂ)に使用する電力を、二組の発電設備(Ａ)および発電設備(Ｂ)により生産および供給する電力の交互使用により、円盤状材(Ａ)１(ａ)および円盤状材(Ｂ)１(ｂ) の慣性回転を継続すると共に、二組の発電設備(Ａ)および発電設備(Ｂ)による電力の生産および供給も継続できることになる。
【産業上の利用可能性】
【００３４】
本発明になる発電方法は、二以上の発電設備の交互稼働により電力の生産および供給を継続させることを特徴とした発電方法であり、該二以上の発電設備の、最初の稼働時に外力を使用した後は、外力の使用を極力おさえて電力の生産および供給を継続できるため、電力の生産および供給においての省資源化の効果につながるものである。
【符号の説明】
【００３５】
１(ａ)・・・円盤状材(Ａ)
１(ｂ)・・・円盤状材(Ｂ)
２(ａ)・・・発電装置(Ａ)
２(ｂ)・・・発電装置(Ｂ)
３(ａ)・・・円盤状材回転装置(Ａ)
３(ｂ)・・・円盤状材回転装置(Ｂ)
４(ａ)・・・軸部(Ａ)
４(ｂ)・・・軸部(Ｂ)
５・・・・・ローラー
【図１】
2012253890.tif 000003
【図２】
2012253890.tif 000004
【図３】
2012253890.tif 000005
【図４】
2012253890.tif 000006